(57)【特許請求の範囲】
【請求項１】
トナー及びキャリアからなる２成分現像剤を収容する現像剤収容部と、
現像剤を排出する排出口に向けて現像剤を搬送する現像剤排出路を備えた現像容器と、
前記現像剤収容部の長手方向に延設され、前記現像剤収容部を第一室と第二室に仕切る隔壁と、
前記第一室に設けられ、現像剤を搬送する第１の現像剤搬送部材と、
前記第二室に設けられ、第１の方向に現像剤を搬送する第１のスパイラル部と、前記第１の方向下流側で、前記第１のスパイラル部の螺旋方向とは逆方向に巻かれた第２のスパイラル部と、前記第２のスパイラル部よりも前記第１の方向下流側に設けられ、前記現像剤排出路に対向する円板部と、前記円板部よりも前記第１の方向下流側に設けられ、前記円板部を超えた現像剤を前記第１の方向に搬送する第３のスパイラル部と、を備えた第２の現像剤搬送部材と、を有し、
前記第１のスパイラル部の搬送方向において前記円板部よりも下流側に、前記第二室と連通する前記現像剤排出路の入口が設けられ、前記現像剤排出路の入口は前記第二室の底面よりも高い位置にある現像装置において、
前記円板部の前記現像剤排出路と対向する面に突起部を有し、
前記第３のスパイラル部の回転軸線方向から見たとき、前記突起部は少なくとも前記第３のスパイラル部よりも前記円板部の径方向外側の領域に配置され、かつ前記円板部の円周に対して部分的に突出しており、前記第３のスパイラル部の回転軸線と直交する方向から見たとき、少なくとも前記突起部の一部が前記第３のスパイラル部と対向していることを特徴とする現像装置。
【請求項２】
前記突起部が前記第２の現像剤搬送部材の軸から前記円板部の端面までの径方向全域に設けられたことを特徴とする請求項１に記載の現像装置。
【請求項３】
前記第３のスパイラル部は前記円板部と連結していることを特徴とする請求項１または請求項２に記載の現像装置。
【請求項４】
前記現像剤収容部に補給用の２成分現像剤が補給されることを特徴とする請求項１乃至請求項３の何れか一項に記載の現像装置。
【発明の詳細な説明】
【技術分野】
【０００１】
本発明は、トナー及びキャリアからなる２成分現像剤を内部に収納する現像装置に関する。
【背景技術】
【０００２】
電子写真方式や静電記録方式を採用する画像形成装置、特に電子写真方式によってフルカラーやマルチカラー画像を形成する画像形成装置には、発色性や混色性といった観点から殆どの現像装置がトナーとキャリアを混合した２成分現像剤を使用している。
【０００３】
周知のように、２成分現像剤を用いた現像法は、キャリアとトナーの摩擦帯電によりトナーに電荷を付与し、電荷が付与されたトナーを潜像に対して静電的に付着させることによって画像を形成する方法である。このような２成分現像方式において、高耐久、高安定を満足した画像を提供していくためには、安定したトナー帯電量（以下「トリボ」と称す。）を付与することが重要であり、そのためにはキャリアの帯電付与能力が耐久前後で安定していることが必要である。
【０００４】
しかし、実際にはトナーは随時現像動作により消費されていくのに対し、キャリアは消費されずに現像装置内に残る。そのため、耐久（即ち、長時間使用）していくとキャリアは長時間トナーとともに攪拌され、表面がトナーやトナーの外添剤の付着により汚染されることとなる。その結果、キャリアのトリボ付与能力が下がりトリボが低下することで、飛散かぶり等の画像劣化が生じてしまう。
【０００５】
そこで、このような問題に対して、現像装置へキャリアを含む現像剤を補給することにより、帯電性能の劣化を抑制させる現像装置が提案されている。
【０００６】
特許文献１には、画像形成に伴って、トナーにキャリアを所定割合で混合した補給用２成分現像剤を現像装置に補給し、この補給により過剰となった現像装置内の余剰現像剤を、現像容器内に設けられた現像剤排出口から排出するという構成が提案されている。特許文献１に記載の構成について、図２を参照して簡単に説明する。
【０００７】
現像容器１１内の現像剤を循環させる第１および第２の搬送スクリュー１４、１５を備えている。現像容器１１は第２の搬送スクリュー１５の現像剤搬送方向Ｂの下流の突き当りに現像剤を排出する現像剤排出路１１ｃを備える。図２では現像剤排出路１１ｃは第２の搬送スクリュー１５に設けられたつば部１５４の陰になっている。第２の搬送スクリュー１５は現像剤を循環させる方向に搬送して現像剤排出路１１ｃに送り込む第１のスパイラル部１５１の下流側に、回転に伴う現像剤搬送方向が第１のスパイラル部１５１とは逆方向の第２のスパイラル部１５２が連結されている。
【０００８】
これにより、第２の搬送スクリュー１５の回転に伴い第１のスパイラル部１５１によって現像剤排出路１１ｃに向かって搬送される現像剤の大部分を、第２のスパイラル部１５２が押し戻して、現像剤の排出が過剰にならないような構成を実現している。
【０００９】
特許文献１の余剰現像剤排出構成について、さらに詳しく説明する。図示しない現像剤補給ユニットからの現像容器内への現像剤補給が多い状態が続く場合には、現像容器内の現像剤量が増加し、現像剤面（現像容器内の現像剤溜りの表面レベル）が上昇する。このとき、第１のスパイラル部１５１によって搬送される現像剤量に対して、第２のスパイラル部１５２で押し戻す現像剤量が相対的に小さくなる為、余剰現像剤が第２のスパイラル部１５２を乗り越える。
【００１０】
第２のスパイラル部１５２の押し戻しを乗り越えた余剰現像剤は、回転に伴う搬送方向が第１のスパイラル部１５１と同じ方向で、第２のスパイラル部１５２の上流側に連結された第３のスパイラル部１５３（図５）によって現像剤排出路１１ｃに搬送される。この結果、現像容器内の現像剤面の上昇、及び現像剤量の増加は、ある最大値で飽和する。
【００１１】
一方、現像容器内への現像剤の補給が少ない、或いは補給が無い状態が続く場合には、上記で説明したような現像剤の排出により、徐々に現像剤量が減少し、現像容器内の現像剤面が低下する。但し、ある程度現像剤量が減少して現像剤面が低下すると、第１のスパイラル部１５１によって搬送される現像剤量に対して、第２のスパイラル部１５２で押し戻す現像剤量が相対的に大きくなる。その為、余剰現像剤が第２のスパイラル部１５２の押し戻しを乗り越えることが出来なくなり、現像剤の排出量が低下する。この結果、現像容器内の現像剤面の低下、及び現像剤量の減少は、ある最小値で飽和する。
【００１２】
従って、上記構成においては現像容器内の現像剤量にはある最大最小の現像剤量が存在し、その間で現像剤量は変動する。しかし、現像容器内の現像剤量が多過ぎると、現像剤の攪拌が不十分となって、ムラやカブリの発生などの問題や、現像容器からの現像剤の溢れが生じる。逆に、現像容器内の現像剤量が少な過ぎると、静電潜像を形成する現像剤量の不足から、濃度ムラや白抜けなどの画像不良が生じてしまう。従って、現像容器内の現像剤量の変動は適切な範囲内に維持することが重要である。
【００１３】
特許文献１では、画像形成のプロセススピードの変化等によって搬送スクリューの回転速度が変化した場合にも、現像剤の排出量を安定させ、現像容器内の現像剤量の変動を抑制させる構成として、以下を提案している。
【００１４】
即ち、第２のスパイラル部１５２の現像剤排出路１１ｃ側の末端につば部１５４を連結し、第２のスパイラル部１５２の谷部を現像剤排出口側へ露出させない構成である。これにより、スパイラル部の谷部が露出した際に、特に搬送スクリューの回転速度が高い場合に、谷部の位相の周期によって排出量が変動するのを抑制している。
【００１５】
また、特許文献２では、画像形成装置の連続運転や稼働環境によって、現像剤の流動性が低下した場合に、現像剤の排出量が極端に低下するのを防止する構成として、以下を提案している。即ち、つば部１５４の側面に、つば部１５４と一体に回転する突起を設ける構成である。これにより、現像剤の流動性が低下し、つば部１５４の周囲で現像剤が滞留して現像剤の排出が阻害されたときに、突起で滞留した現像剤を掻き取ることで安定した排出性を確保できると提案している。
【先行技術文献】
【特許文献】
【００１６】
【特許文献１】特開２００２−７２６８６号公報
【特許文献２】特開２０１０−２３７３２８号公報
【発明の概要】
【発明が解決しようとする課題】
【００１７】
しかしながら、特許文献２に記載のようなつば部（円板部）１５４に突起を設けた搬送スクリュー構成において、高温多湿環境において更なる長時間の連続運転の試験を行うと、現像剤の排出量が大きく低下する場合があった。そこで、現像容器内の現像剤の流れを詳細に観察したところ、以下の現象が発生していることが分かった。
【００１８】
即ち、現像剤の流動性の低下によってつば部の周囲に滞留が発生し、つば部の側面に設けた突起が、その滞留部を掻き取っている。しかし、つば部の排出路側の面と容器突き当り面との空間Ｈの段差部分（図３の領域Ｈ１及び図５の領域Ｈ２）にさらなる滞留が発生して、現像剤のスムーズな排出を阻害していることが分かった。
【００１９】
本発明は上記従来の技術の更なる改善に係る。その目的とするところは、長時間の連続運転及び高温多湿環境下でも、つば部（円板部）を乗り越えた現像剤が、現像剤排出路へスムーズかつ確実に搬送され、余剰現像剤の排出を適切に行うことができる現像装置を提供することである。
【課題を解決するための手段】
【００２０】
上記の目的を達成するための本発明に係る現像装置の代表的な構成は、
トナー及びキャリアからなる２成分現像剤を収容する現像剤収容部と、
現像剤を排出する排出口に向けて現像剤を搬送する現像剤排出路を備えた現像容器と、
前記現像剤収容部の長手方向に延設され、前記現像剤収容部を第一室と第二室に仕切る隔壁と、
前記第一室に設けられ、現像剤を搬送する第１の現像剤搬送部材と、
前記第二室に設けられ、第１の方向に現像剤を搬送する第１のスパイラル部と、前記第１の方向下流側で、前記第１のスパイラル部の螺旋方向とは逆方向に巻かれた第２のスパイラル部と、前記第２のスパイラル部よりも前記第１の方向下流側に設けられ、前記現像剤排出路に対向する円板部と、前記円板部よりも前記第１の方向下流側に設けられ、前記円板部を超えた現像剤を前記第１の方向に搬送する第３のスパイラル部と、を備えた第２の現像剤搬送部材と、を有し、
前記第１のスパイラル部の搬送方向において前記円板部よりも下流側に、前記第二室と連通する前記現像剤排出路の入口が設けられ、前記現像剤排出路の入口は前記第二室の底面よりも高い位置にある現像装置において、
前記円板部の前記現像剤排出路と対向する面に突起部を有し、
前記第３のスパイラル部の回転軸線方向から見たとき、前記突起部は少なくとも前記第３のスパイラル部よりも前記円板部の径方向外側の領域に配置され、かつ前記円板部の円周に対して部分的に突出しており、前記第３のスパイラル部の回転軸線と直交する方向から見たとき、少なくとも前記突起部の一部が前記第３のスパイラル部と対向していることを特徴とする。
【発明の効果】
【００２１】
本発明によれば、長時間の連続運転及び高温多湿環境下でも、円板部を乗り越えた現像剤が、現像剤排出口へスムーズかつ確実に搬送され、余剰現像剤の排出を適切に行うことが可能になる。その結果、現像容器内の現像剤量の変動を抑制し、長期に渡り安定した高画質の画像を得られる現像装置を提供することができる。
【図面の簡単な説明】
【００２２】
【図１】画像形成装置の一例の簡易断面図
【図２】現像ユニット（現像装置）の斜視図
【図３】現像ユニットの現像剤排出導入口近傍の上面断面図
【図４】現像ユニットの正面断面図
【図５】第１の実施形態に関する図
【図６】第１の実施形態に関する図
【図７】第１の実施形態に関する図
【図８】第２の実施形態に関する図
【図９】第３の実施形態に関する図
【発明を実施するための形態】
【００２３】
本発明の実施形態について以下に説明する。
【００２４】
（画像形成装置）
図１は画像形成装置の一例の概略図である。この画像形成装置１００は中間転写方式、タンデム型の４色フルカラーの電子写真デジタル複写機であり、記録材としてのシートＳにフルカラートナー画像を形成してプリントアウトすることができる。この装置１００の主たる構成、電子写真プロセスは公知に属するから以下の構成説明は簡単にとどめる。
【００２５】
装置１００は上部に原稿読取部（リーダ部）１０１を有する。装置本体の内部には、図面上、左側から右側にほぼ水平に並設された４つのプロセスユニットＵ（ＵＹ、ＵＭ、ＹＣ、ＹＫ）と、露光手段としてのレーザースキャナユニット１０２と、中間転写ベルトユニット１０３を有する。
【００２６】
各プロセスユニットＵは、それぞれ、像担持体である電子写真感光ドラム２１を備えたドラムユニット２０と現像剤担持体（現像ローラ、現像スリーブ）１２を備えた現像ユニット（現像装置）１０を有する。ドラムユニット２０はドラム２１に作用するプロセス手段としての帯電ローラやクリーニング装置（何れも不図示）なども有する。各プロセスユニットＵの現像ユニット１０には内部にトナー及びキャリアからなる２成分現像剤が収納されており、互いにトナーの色が異なるだけで同じ装置構成である。
【００２７】
本例においては、プロセスユニットＵＹの現像ユニット１０に収容されている現像剤のトナーの色はイエロー（Ｙ）であり、ドラム２１にＹ色トナー像が形成される。プロセスユニットＵＭの現像ユニット１０に収容されている現像剤のトナーの色はマゼンタ（Ｍ）であり、ドラム２１にＭ色トナー像が形成される。プロセスユニットＵＣの現像ユニット１０に収容されている現像剤のトナーの色はシアン（Ｃ）であり、ドラム２１にＣ色トナー像が形成される。プロセスユニットＵＫの現像ユニット１０に収容されている現像剤のトナーの色はブラック（Ｋ）であり、ドラム２１にＫ色トナー像が形成される。
【００２８】
そして、各プロセスユニットＵのドラム２１と中間転写ベルトユニット１０３のベルト１０４との当接部である１次転写ニップ部Ｔ１にて上記４色のトナー像が順次に所定に重畳されてベルト１０４に１次転写される。これによりベルト１０４上にフルカラートナー像が形成される。そのフルカラートナー像がベルト１０４と２次転写ローラ１０９との当接部である２次転写ニップ部Ｔ２にてベルト１０４上のフルカラートナー像がシートＳに対して２次転写される。
【００２９】
シートＳはシートカセット１０５から給送ローラ１０６により一枚分離給送されて搬送路１０７により上方に搬送され、レジストローラ１０８で２次転写ニップ部Ｔ２に所定の制御タイミングで導入される。そして、２次転写ニップ部Ｔ２でトナー像の２次転写を受けたシートＳが定着装置１１０に導入されて定着ニップ部で挟持搬送されることでトナー像の定着を受ける。定着装置１１０を出たシートＳは排出ローラ１１１によりフルカラー画像形成物として排出トレイ１１２に排出される。
【００３０】
モノクロなどモノカラー画像形成モードの場合にはその画像形成に必要なプロセスユニットＵだけが画像形成動作し、他のプロセスユニットＵはドラム２１の空回転がなされるだけで画像形成動作はしない。
【００３１】
５０（Ｙ、Ｍ、Ｃ、Ｋ）は各プロセスユニットＵの現像ユニット１０に対する補給用２成分現像剤（トナーにキャリアを所定の割合で混合した現像剤）を収容している４個の現像剤カートリッジである。各現像剤カートリッジ５０は中間転写ベルトユニット１０３の上方部に配設された装着部に対して４個並べて取り外し可能に装着されている。
【００３２】
各現像剤カートリッジ５０はそれぞれ対応する各プロセスユニットＵの現像ユニット１０に対して装置本体内部の奥側（図１の紙面奥方向）に配設されている現像剤補給ユニット５１（Ｙ、Ｍ、Ｃ、Ｋ）を介して連絡している。そして、各現像剤補給ユニット５１がそれぞれ所定に駆動制御されることで各プロセスユニットＵの現像ユニット１０の現像容器に対して対応する現像剤カートリッジ５０から現像剤が適時に適量補給される。
【００３３】
（現像ユニット）
前記のように各プロセスユニットＵの現像ユニット１０はそれぞれに収容されている２成分現像剤のトナーの色が異なるだけで、装置構成は互いに同じである。図２は現像ユニット１０を装置本体内部の奥側から見た斜視図である。
【００３４】
現像ユニット１０は、２成分現像剤を収容する現像剤収容部を備えた現像容器１１と、トナー像を現像する現像剤担持体１２を備えている。また、現像剤収容部の長手方向に延設され、現像剤収容部を仕切る隔壁１３を備えている。
【００３５】
現像容器（現像剤収容部）１１の内部には、現像剤攪拌・搬送手段として第１の搬送スクリュー（第１の現像剤搬送部材）１４と第２の搬送スクリュー（第２の現像剤搬送部材）１５が隔壁１３を介して配置されている。
【００３６】
第１の搬送スクリュー１４は隔壁１３の一方の側である現像剤担持体１２に近い側の現像容器内（第一室）の底部に、現像剤担持体１２の軸方向に沿ってほぼ平行に配置されており、回転することで現像剤を軸線方向に沿ってＡ方向に搬送する。
【００３７】
第２の搬送スクリュー１５は隔壁１３を介して第１の搬送スクリュー１４の逆側において現像容器内（第二室）の底部に第１の搬送スクリュー１４とほぼ平行に配置されている。この第２の搬送スクリュー１５による現像剤の主たる搬送方向としては、第２の搬送スクリュー１５に設けられた第１のスパイラル部１５１によって、現像剤を第１の搬送スクリュー１４とは反対のＢ方向に搬送する。
【００３８】
即ち、第１及び第２の搬送スクリュー１４、１５の回転による搬送と、隔壁１３の両端に設けられた手前側開口部１３１および奥側開口部１３２により、現像剤は現像容器１１の内部をＡ方向とＢ方向に循環搬送される。
【００３９】
現像容器１１の内部において第１の搬送スクリュー１４で攪拌されながら搬送されている現像剤の一部が回転駆動されている現像剤担持体１２の表面に供給されて保持される。現像剤担持体１２に保持される現像剤量は、穂切り部材１６（図４）により体積規制され、ドラムユニット２０のドラム２１に現像部（ドラム２１と現像剤担持体１２との対向部）において適用される。これにより、ドラム２１に形成されている潜像がトナー像として現像される。
【００４０】
潜像の現像に供されて現像部を通過した現像剤担持体１２上の残留現像剤は引き続く現像剤担持体１２の回転により現像容器１１の内部に戻し搬送されて現像剤担持体１２から除去される。現像剤が除去された現像剤担持体１２には新たに現像剤が供給される。除去された現像剤は現像容器１１の内部の現像剤に混入して現像容器内を循環し続ける。
【００４１】
（余剰現像剤の排出機構）
前述したように、現像ユニット１０の現像容器１１には現像剤補給ユニット５１が所定に駆動制御されることで対応の現像剤カートリッジ５０から補給用２成分現像剤が適時に適量補給される。この補給により過剰となった現像容器の余剰現像剤が現像容器内から排出される（トリクル現像方式、ＡＣＲ（オートキャリアリフレッシュ）方式）。
【００４２】
これにより、現像容器１１の現像剤に含まれるキャリアが少しずつ古いものから新しいものに入れ替わるので、劣化したキャリアが現像容器１１内に残り続けることが少なく、キャリアのトナー帯電性能の劣化が抑制される。
【００４３】
本例における現像容器１１からの余剰現像剤の排出機構について図３〜図５を用いて説明する。図３は図２の現像ユニット１０において二点鎖線で囲った部分Ｋ、即ち第２の搬送スクリュー１５の後述するつば部（円板部）１５４近傍の上面図である。図４は同じくつば部１５４近傍で第２の搬送スクリュー１５の回転中心を通る側面断面図である。図５は隔壁１３の手前開口部１３１を通る面の長手方向断面図である。
【００４４】
第２の搬送スクリュー１５は、現像剤をＢ方向へ搬送する、即ち現像剤排出路１１ｃに向かって現像剤を搬送する第１のスパイラル部（搬送スクリュー）１５１を備える。このスパイラル部１５１の搬送方向下流側（現像剤を搬送する方向の下流側）には、第１のスパイラル部１５１の螺旋方向とは逆方向にまかれた第２のスパイラル部１５２を備えている。この第２のスパイラル部１５２は通常の循環経路外から循環経路内に押し戻すように現像剤を搬送する、即ち現像剤排出路１１ｃへ向かう現像剤の流れを逆方向に付勢する。
【００４５】
そして、第１のスパイラル部１５１と第２のスパイラル部１５２との接続部に対向する位置に隔壁１３に設けられた手前開口部１３１が対応して位置している。
【００４６】
また、第２のスパイラル部１５２の搬送方向上流側の現像容器突き当り面には排出導入口（第二室と連通する現像剤排出路１１ｃの入口）１７が設けられ、排出導入口１７の先には現像剤排出路１１ｃと、現像剤を現像容器１１の外へ排出するための排出口１８が配置されている。
【００４７】
これにより、第２の搬送スクリュー１５の第１のスパイラル部１５１によって排出路１１ｃの方向へ搬送される現像剤の大部分は、第２のスパイラル部１５２に押し戻されて排出導入口１７からの排出を逃れる。排出を逃れた現像剤は隔壁１３の手前開口部１３１を通過して第１の搬送スクリュー１４に受け渡される（図３における矢印Ｆ１の流れ）。
【００４８】
第２の搬送スクリュー１５は現像剤排出路１１ｃの路内の現像剤を第１のスパイラル部１５１と同じ方向に搬送する第３のスパイラル部（排出スクリュー）１５３を備えている。第２のスパイラル部１５２によって押し戻されなかった現像剤は、排出導入口１７を通過する（図５における矢印Ｆ２の流れ）。そして、排出口１８から現像容器外へ余剰現像剤として排出される（図５における矢印Ｆ３の流れ）。
【００４９】
また、第２の搬送スクリュー１５の第２のスパイラル部１５２の搬送方向の最上流に、排出導入口１７を覆い隠すように、円板形状のつば部（円板部）１５４が設けられている。即ち、つば部１５４は第２のスパイラル部１５２よりも第１のスパイラル部１５１の搬送方向下流側に設けられ、現像剤排出路１１ｃに対向している。
【００５０】
現像剤排出路１１ｃの底面は、現像容器１１の現像剤収容部の底面よりも重力方向において高い位置に設けられる。図５では高さＺ分だけ排出路１１ｃの底面が高くなっている。高さＺの段差を設けなければ、現像剤排出量が増加し、現像容器内の現像剤量が不足する可能性がある。したがって、現像剤排出路１１ｃをつば部１５４へ投影させた投影面はつば部の面積よりも小さくなる。
【００５１】
即ち、現像容器１１は現像剤収容部と、この現像剤収容部の底面よりも重力方向において高い位置に底面を有する現像剤排出路１１ｃを備えている。また、第２の搬送スクリュー１５は、上記の第１のスパイラル部１５１と、第２のスパイラル部１５２と、第３のスパイラル部１５３と、現像剤排出路１１ｃに対向するつば部１５４と、が連結されている。
【００５２】
つば部１５４は、第２の搬送スクリュー１５の第１のスパイラル部１５１と第２のスパイラル部１５２との搬送能力の差によって、排出導入口１７に向かって搬送されてきた現像剤の慣性力の差を低減させる機能を持つ。つば部１５４は、第２のスパイラル部１５２の最上流部のスクリュー羽根の切れ目から排出導入口１７へ落ち込む現像剤を無くし、現像剤の排出量を安定させる。つば部１５４は、第２のスパイラル部１５２の排出導入口１７に対向する末端を覆い隠してスクリュー羽根の谷部を排出導入口１７に露出させない。
【００５３】
これにより、第２の搬送スクリュー１５の回転速度が変動しても安定した排出量を確保できる。
【００５４】
しかし、従来の構成では、つば部１５４の排出導入口１７と対向する側の面と排出導入口１７を有する容器内壁との空間Ｈの段差部分（図３のＨ１の領域および図５のＨ２の領域）に現像剤が滞留し、現像剤のスムーズな排出を阻害していた。空間Ｈには、前述の通り高さＺの段差が存在しているため、つば部１５４を乗り越えたにもかかわらず排出導入口１７に入らなかった余剰現像剤はこの段差部分に溜まることになる。
【００５５】
特許文献１および特許文献２の構成では、この段差部分に溜まった現像剤を搬送する手段がない。そのため、この段差部の滞留現像剤を起点に現像剤の滞留が進行し、余剰現像剤の排出が不安定になる。
【００５６】
本発明は、課題でも前述したようにつば部と容器端面の空間Ｈの段差部分に生じる現像剤滞留に対して有効なものである。即ち、つば部１５４の現像剤排出路１１ｃと対向する面に突起部１５５を有し、突起部１５５が現像剤排出路１１ｃのつば部１５４への投影面よりも径方向外側の領域に配置され、かつ周方向に部分的に突出する構成にする。即ち、図６乃至図９の例のように、第３のスパイラル部１５３の回転軸線方向から見たとき、突起部１５５は少なくとも第３のスパイラル部１５３よりもつば部（円板部）１５４の径方向外側の領域に配置され、かつつば部１５４の円周に対して部分的に突出している。そして、第３のスパイラル部１５３の回転軸線と直交する方向から見たとき、少なくとも突起部１５５の一部が第３のスパイラル部と対向している構成にする。
【００５７】
つば部１５４に排出導入口１７側へ突出した突起部１５５を設けることで、領域Ｈの段差部分に滞留する現像剤を掻き取ることを可能にする。その結果、つば部１５４を乗り越えた現像剤が、現像剤排出路１１ｃへスムーズかつ確実に搬送され、余剰現像剤の排出を適切に行うことが可能になる。
【００５８】
以下、突起部１５５の実施形態を例示的に示していく。ただし、この実施形態に記載されている構成部品の形状、配置などは、特に特定的な記載がない限りは、本発明の範囲をそれらのみに限定する趣旨のものではない。
【００５９】
（第１の実施形態）
図６（ａ）は直方体の突起部１５５を有する第２の搬送スクリュー１５の斜視図、図６（ｂ）は、図６（ａ）に図示した方向Ｄから見た図、図６（ｃ）は図６（ａ）の方向Ｅから見た図である。また、外径線Ｃは第３のスパイラル部１５３の外形を表す。図６に示すように外径線Ｃよりも径方向外側に、現像剤排出路１１ｃ側へ突出する突起部１５５を設けることで、図３及び図５の領域Ｈに滞留する現像剤を掻き取ることが可能となる。
【００６０】
図６（ａ）では突起部１５５の長手方向の凸量は径方向に一様だが、径方向に変化しても構わない。また突起部１５５の形状は直方体に限らず、周方向に部分的な領域であれば形状は問わない。例えば、図７（ａ）に示すような扇形状であっても良いし、複数の突起部があっても良い。
【００６１】
突起部１５５は円板部１５４の中心から端面までの径方向全域に設けられても構わない。また、突起部１５５の径方向の領域は少なくとも外径線Ｃよりも外側にあれば本発明の効果として有効であるため、図７（ｂ）に示すように径方向の一部でも良いし、図７（ｃ）に示すように円板部より外側まで延長されても構わない。即ち、突起部１５５の径方向端面が、円板部１５４の外径よりも径方向外側へ延長されても構わない。
【００６２】
突起部１５５で掻き取られた現像剤が効果的に搬送されるよう、突起部１５５の位相は第３のスパイラル部１５３の開始位相から第２の搬送スクリュー１５の回転方向を正としたとき、−３０度〜＋９０度以内であることが望ましい。それ以外の位相であっても良い。
【００６３】
以上、説明した第１の実施形態は、つば部１５４と容器端面の空間Ｈの段差部分（Ｈ１およびＨ２）に生じる現像剤滞留に対して有効なものである。即ち、つば部１５４に排出導入口１７側へ突出した突起部１５５を設けることで、これまで解消することのできていなかった領域Ｈの段差部分に滞留する現像剤を掻き取ることを可能にする。
【００６４】
かつ、第２の搬送スクリュー１５と一体になって回転する突起部１５５は、段差部分の現像剤を掻き上げることができ、滞留していた現像剤を現像剤排出路１１ｃへと導くことができる。
【００６５】
現像剤の滞留は、滞留の起点となる場所があるとその起点を中心に進行し、滞留が進行すると余剰現像剤の排出が阻害されることになる。現像剤滞留の起点となり得る上記領域Ｈの段差部分の現像剤滞留を改善することで、課題となっていた高温多湿環境下での長時間の連続運転においても、余剰現像剤の排出量を安定させることが可能となる。これにより、多様にわたる使用環境や二成分現像剤の状態に対応することができる。余剰現像剤の排出量の安定は、現像容器内の現像剤量の変動抑制につながり、長期に渡り安定した高画質の画像を得られる現像装置を提供することが可能となる。
【００６６】
（第２の実施形態）
第１の実施形態では、つば部１５４から明確に突出した形状を示したが、図８（ａ）に示すような、つば部１５４の排出路１１ｃ側の面が傾いている形状でも第１の実施形態と同様な効果を発揮する。
【００６７】
図８（ｂ）は図８（ａ）記載の方向Ｆから見た断面図であるが、図７の斜線領域Ｇが、外径線Ｃの外側の領域で、周方向に部分的に突出しているため、第１の実施形態で述べた突起部１５５と同様に領域Ｈの滞留部分の現像剤を掻き取ることが可能となる。
【００６８】
（第３の実施形態）
図９に示すような、第３のスパイラル部１５３のつば部１５４との結合部近傍の一部のスパイラル径が、現像剤搬送路内を通る部分のスパイラル径よりも大きい場合、外径線Ｃよりも外側の領域の突起とみなせる。従って、第１の実施形態で述べた突起部と同様の効果を得ることが可能となる。即ち、突起部１５５が、第３のスパイラル部１５３のつば部１５４との連結部分が現像剤排出路１１ｃの路内のスパイラル径よりも径方向外側に延長されて構成されても構わない。
【００６９】
（その他の事項）
１）２成分現像剤のキャリアは磁性キャリアであっても非磁性キャリアであってもよい。
【００７０】
２）画像形成装置はフルカラー画像形成機能機を例示したが、白黒単色機でも良い。
【符号の説明】
【００７１】
１０・・現像ユニット（現像装置）、１１・・現像容器、１１ｃ・・現像剤排出路、１３・・隔壁、１４・・第１の現像剤搬送部材、１５・・第２の現像剤搬送部材、１５１・・第１のスパイラル部、１５２・・第２のスパイラル部、１５３・・第３のスパイラル部、１５４・・円板部（つば部）、１５５・・突起部
【図１】
0006444185.tif 000002
【図２】
0006444185.tif 000003
【図３】
0006444185.tif 000004
【図４】
0006444185.tif 000005
【図５】
0006444185.tif 000006
【図６】
0006444185.tif 000007
【図７】
0006444185.tif 000008
【図８】
0006444185.tif 000009
【図９】
0006444185.tif 000010